(57)【要約】【課題】  カバーと本体とを重ね合わせたまま平面方向への回転を簡単な操作で実行できる回転支持機構および電子機器を提供する。【解決手段】  カバーと本体とを重ね合せて閉じた閉位置から前記カバーを重ね合せたまま平面方向に回転させる回転支持機構に、前記カバーまたは前記本体の一方に固定されるプレートと、他方に固定されるベースと、前記プレートとベースとを前記平面方向に回転可能に軸支する軸支部と、弾性力を有して一端側が前記プレートに接続され他端側が前記ベースに接続される弾性手段と、前記弾性手段の弾性力による前記プレートとベースとの開回転を閉位置で係止する回転係止手段とを備えた。【選択図】    図１１
2006336801.tif 000002
【特許請求の範囲】
【請求項１】
カバーと本体とを重ね合せて閉じた閉位置から前記カバーを重ね合せたまま平面方向に回転させる回転支持機構であって、
前記カバーまたは前記本体の一方に固定されるプレートと、
他方に固定されるベースと、
前記プレートとベースとを前記平面方向に回転可能に軸支する軸支部と、
弾性力を有して一端側が前記プレートに接続され他端側が前記ベースに接続される弾性手段と、
前記弾性手段の弾性力による前記プレートとベースとの開回転を閉位置で係止する回転係止手段とを備えた
回転支持機構。
【請求項２】
前記プレートとベースとに対して別個独立して前記平面方向に回転可能な中間体を前記軸支部に軸支し、
前記弾性手段の中間部を前記中間体に接続した
請求項１記載の回転支持機構。
【請求項３】
前記回転係止手段を、
前記プレートに備えたカムと前記ベースに備えた押圧部とで構成し、
前記押圧部を、
枢動可能に枢支された枢動板と、
該枢動板に設けられて前記カムに当接するカム当接部と、
前記カム当接部が前記カムを押圧する方向へ前記枢動板を付勢する付勢体とで構成した
請求項１または２記載の回転支持機構。
【請求項４】
前記カムに、閉位置で前記カム当接部を係止するストッパ部を備えた
請求項３記載の回転支持機構。
【請求項５】
前記ベースに、前記枢動板の浮き上がりを防止する浮き上がり防止ガイドを備えた
請求項３または４記載の回転支持機構。
【請求項６】
請求項１から５のいずれか１つに記載の回転支持機構を備えた
電子機器。
【発明の詳細な説明】
【技術分野】
【０００１】
この発明は、例えばデジタルカメラ、デジタルビデオカメラ等の電子機器の開閉部分に用いられるような回転支持機構に関し、さらに詳しくはカバーと本体とを重ね合せたまま平面方向にカバーを開操作する回転支持機構および電子機器に関する。
【背景技術】
【０００２】
従来、電子機器のカバーと本体を開閉可能に支持する回転支持機構として、携帯電話機のカバーと本体を開閉可能に支持するカバー開閉装置が提案されている（特許文献１参照）。
【０００３】
前記カバー開閉装置は、カバーと本体とを折り畳み式に開閉する中折れタイプ（所謂フリップタイプ）のものである。従って、そのヒンジ部は回転軸方向に長い形状になっている。
【０００４】
このような従来例の中折れタイプの回転支持機構は、カバーを開操作する場合、利用者が片方の手で本体を支え、他方の空いた手でカバーを掴んで開操作しなければならず、カバーを開けるには両手を必要としている。
【０００５】
一方、近年では電子機器の機能や用途に応じて様々な開閉方法が提案されており、例えば図１３(Ａ)および図１３(Ｂ)に示すように、本体２１１とカバー２１２とを重ね合せた状態から上側のカバー２１２を重ね合せたまま平面方向に略１８０度近く回転させて開操作する平面開閉型の携帯電話機２１３が知られている。
【０００６】
しかし、このように平面方向にカバーを開閉する電子機器に従来例の回転支持機構を適用すると、長手方向である回転軸方向がカバーと本体とを重ねた厚み方向になることから電子機器が嵩高になってしまい、電子機器の薄型化が難しくなる。
【０００７】
また、上述した従来例の回転支持機構では、カバーと本体を開位置と閉位置とに位置決めして止めることができる回転係止構造が採用されている。
【０００８】
よって、積層した構成部品の重ね合せ面間はバネの強接触圧が作用して接触抵抗が大きく、回転操作においてもトルクロスが大きくなるため、カバーをワンタッチで自動的に回転させるような円滑な回転が要求される用途には適さなかった。
【０００９】
【特許文献１】特開２００３−２８１３８号公報
【発明の開示】
【発明が解決しようとする課題】
【００１０】
この発明は、上述の問題に鑑み、カバーと本体とを重ね合わせたまま平面方向への回転を簡単な操作で実行できる回転支持機構および電子機器を提供することを目的とする。
【課題を解決するための手段】
【００１１】
この発明は、カバーと本体とを重ね合せて閉じた閉位置から前記カバーを重ね合せたまま平面方向に回転させる回転支持機構であって、前記カバーまたは前記本体の一方に固定されるプレートと、他方に固定されるベースと、前記プレートとベースとを前記平面方向に回転可能に軸支する軸支部と、弾性力を有して一端側が前記プレートに接続され他端側が前記ベースに接続される弾性手段と、前記弾性手段の弾性力による前記プレートとベースとの開回転を閉位置で係止する回転係止手段とを備えたことを特徴とする。
【００１２】
前記弾性手段は、１つの弾性体で構成する、あるいは複数の弾性体を直接または間接に連結して構成することができる。
【００１３】
前記回転係止手段は、カムと、該カムを押圧するローラ等の押圧部とで構成するなど、閉位置でベースとプレートとを係止する適宜の構成にすることができる。
【００１４】
この発明の態様として、前記プレートとベースとに対して別個独立して前記平面方向に回転可能な中間体を前記軸支部に軸支し、前記弾性手段の中間部を前記中間体に接続することができる。
【００１５】
前記中間体は、前記プレートとベースとの間に介装することが好ましいが、これに限らず中間体とベースとの間にプレートを介装する、あるいは中間体とプレートとの間にベースを介装するなど、適宜の配置に構成することができる。
【００１６】
前記弾性手段は、複数の弾性体を連結して構成することができ、この連結部で前記弾性手段の中間部を構成することができる。なお、弾性体は、弦巻バネ、板バネ、またはゴム、若しくはこれらの組み合せなど、弾性力を有する適宜の部材で構成することができる。
【００１７】
またこの発明の態様として、前記回転係止手段を、前記プレートに備えたカムと前記ベースに備えた押圧部とで構成し、前記押圧部を、枢動可能に枢支された枢動板と、該枢動板に設けられて前記カムに当接するカム当接部と、前記カム当接部が前記カムを押圧する方向へ前記枢動板を付勢する付勢体とで構成することができる。
【００１８】
前記カム当接部は、回転可能なローラや、カム側に突出させた凸部等で構成することができる。  
前記枢動板は、アーム状の長板で構成する、あるいは円盤や四角板などの適宜の板状体で構成することができる。
【００１９】
またこの発明の態様として、前記カムに、閉位置で前記カム当接部を係止するストッパ部を備えることができる。
【００２０】
前記ストッパ部は、例えば押圧されているカム当接部が嵌まり込む凹部で構成することができる。
【００２１】
またこの発明の態様として、前記ベースに、前記枢動板の浮き上がりを防止する浮き上がり防止ガイドを備えることができる。  
またこの発明は、前記回転支持機構を備えた電子機器とすることができる。  
前記電子機器は、デジタルカメラ、またはデジタルビデオカメラ等、電子部品を有する機器で構成することができる。
【発明の効果】
【００２２】
この発明により、カバーと本体とを重ね合わせたまま平面方向への回転を簡単な操作で実行できる回転支持機構および電子機器を提供できる。
【発明を実施するための最良の形態】
【００２３】
この発明の一実施形態を以下図面と共に説明する。
【実施例１】
【００２４】
まず、電子機器としてのデジタルカメラ１の構成について説明する。  
図１は、閉状態のデジタルカメラ１を上面から見た斜視図、図２は、閉状態のデジタルカメラ１を下面から見た斜視図、図３は、開状態のデジタルカメラ１を上面から見た斜視図を示す。なお、図１および図３は、ヒンジユニット１０の装着状態を解りやすくするため、上面の蓋を図示省略している。
【００２５】
デジタルカメラ１は、カバー２と本体５とで構成されており、本体５には、正面中央の上部にカメラレンズ７が設けられている
前記カバー２は、基部３と表示カバー４とが互いの一側面中央で連結して構成されており、この表示カバー４には液晶ディスプレイ６が設けられている。この表示カバー４は、基部３に対して連結部を軸に回転自在に枢着されている。
【００２６】
カバー２と本体５との連結部分には、回転支持機構としてのヒンジユニット１０が設けられている。このヒンジユニット１０は、主にプレート２０とベース７０が軸支筒９９で回転自在に軸支されて構成されている。そして、プレート２０の下面側に本体５が固着され、ベース７０の上面側にカバー２が固着されており、これによってカバー２と本体５とは、重ね合わせたままの状態で平面方向へ回転自在に構成されている。
【００２７】
なお、デジタルカメラ１には、図示省略する押下ボタンによる入力部、バッテリによる電源部、不揮発性メモリによる記憶部、ＣＰＵによる制御部、ＣＣＤによる撮像素子、およびストロボによる照明部等が設けられており、撮影によって静止画像を取得できる。
【００２８】
以上の構成により、利用者は、デジタルカメラ１を使用し所望の被写体を撮影して撮影画像を取得することができる。デジタルカメラ１の使用に際しては、カバー２と本体５とが重ね合わせた閉位置からカバー２を９０度回転させて開位置にし、さらに液晶ディスプレイ６が見やすいように表示カバー４を回動させることができる。このようにカバー２を開位置まで回転させる際には、ヒンジユニット１０の機能により後述する半自動回転を実現できる。
【００２９】
次に、ヒンジユニット１０の構成について説明する。  
図４は上面から見た分解斜視図を示し、図５は下面から見た分解斜視図を示し、図６は上面から見た斜視図を示し、図７は下面から見た斜視図を示し、図８は上面から見た平面図（Ａ）を中心とする三面図を示し、図９は下面から見た底面図（Ｂ）を中心とする三面図を示す。
【００３０】
ヒンジユニット１０は、図４に示すように、ベース７０、中間体５０、およびプレート２０が上からこの順で重ねられ、軸支筒９９によって互いに回転自在に固定されている。このとき、プレート２０と中間体５０の間、および中間体５０とベース７０の間には、ポリエチレン素材で肉薄のリング状に形成されたリング状シート４５，４７がそれぞれ介装されている。また、軸支筒９９は、全体が円筒形でその一方の開口端面に外側へ向かって広がる鍔を設けた形状であり、プレート２０の軸支孔３５、中間体５０の軸支孔５２、およびベース７０の軸支孔８５に挿通した後に他端の開口端面をかしめて抜け止めする。
【００３１】
前記プレート２０は、軸支孔３５の周囲にカム２２、アーム３１、および回転係止突起３９が設けられており、これとともに、本体５への固着時に位置決めするための位置決め突起２６，３６、本体５へネジ止め等で固着するための固着孔２５，２７，３７も設けられている。
【００３２】
前記中間体５０は、リング状に形成された回転リング５１の一側面に回転半径方向へ突出するアーム５５が設けられており、このアーム５５の先端部分にバネ５３，５８の一端５３ａ，５８ａ（図６参照）をそれぞれ接続するバネ係止部５６が設けられている。なお、バネ５３，５８は簡略化して図示している。
【００３３】
ここで、バネ５３の他端５３ｂ（図６参照）は、前記プレート２０のアーム３１の先端部に設けられたバネ係止部３２に接続され、プレート２０と中間体５０とが相対的に回転した際にバネ５３の弾性力が作用し、アーム３１とアーム５５とが近づく方向へ引き寄せられる構成になっている。
【００３４】
また、バネ５８の他端５８ｂ（図６参照）は、ベース７０に設けられるアーム７８の先端部のバネ係止部７７に接続され、ベース７０と中間体５０とが相対的に回転した際にバネ５８の弾性力が作用し、アーム７８とアーム５５とが近づく方向へ引き寄せられる構成になっている。
【００３５】
そして、２つのバネ５３，５８は、同一の金属部材で同一サイズの弦巻状に形成された同一の弾性力を有する同一のバネにより構成されている。なお、バネ５３，５８は、図６を除いて両端の接続部（５３ａ，５３ｂ，５８ａ，５８ｂ）を図示省略している。
【００３６】
また、前記アーム３１，５５，７８は、開位置では図６に示すように略４５度間隔に放射状に配され、閉位置では図７に示すように略９０度間隔に放射状に配される。そして、各アーム３１，５５，７８の先端部のバネ係止部３２，５６，７７は、いずれも開閉動作の回転軸中心から等距離に位置するように配されている。従って、バネ５３，５８は回転軸周囲に「く字型」に配され、カバー２が閉方向へ回転されてバネ５３，５８が伸長すると、バネ５３，５８が収縮しようとする開方向への戻り回転力が回転の円周に沿って発生する。このため、バネ５３，５８の弾性力は殆どロスなく戻り回転力となり、ヒンジユニット１０は高効率な自動回転を実現できる。
【００３７】
また、各アーム３１，５５，７８及び各バネ係止部３２，５６，７７は、図９（Ａ）に示すように、上下方向の高さが何れも同一の高さ位置となるように構成している。これにより、開閉の回転方向に沿ってバネ５３，５８の弾性力がかかるようにしており、軸支筒９９で軸支されるプレート２０、中間体５０、およびベース７０に経年変化によるガタツキが生じにくいように耐久性の向上を図っている。
【００３８】
なお、アーム３１，５５，７８の角度はこれに限らず他の角度に配してもよく、また回転軸中心から各バネ係止部３２，５６，７７までの距離はそれぞれ異なる距離に構成してもよい。また、アーム３１，５５，７８の形状よりもバネ係止部３２，５６，７７の位置が重要であるため、アーム３１，５５，７８は、アーム形状ではなく他の形状に構成してもよい。
【００３９】
また、中間体５０は１つとしたが、これに限らず複数の中間体５０を設け、プレート２０と中間体５０、この中間体５０と他の中間体５０、最後の中間体５０とベース７０とを、それぞれバネで連結する構成にしてもよい。
【００４０】
また、中間体５０には１つのアーム５５を設けてその先端部のバネ係止部５６にバネ５３，５８の一端を接続したが、これに限らず他の構成にしてもよい。例えば、２つのアーム５５を設ける、あるいはアーム５５を幅広に設けることによってバネ係止部５６を離間させた位置に２つ設け、バネ５３の一端を接続する部位と、バネ５８の一端を接続する部位とを離間させることができる。この場合でも、バネ５３によるプレート２０と中間体５０との連結関係、及びバネ５８による中間体５０とベース７０との連結関係になんら変わりはなく、同一機能を得ることができる。
【００４１】
前記ベース７０は、軸支孔８５の周囲にアーム７８、および回転規制ガイド８３，８６が設けられ、また、開方向への戻り回転を係止する戻り回転係止部６０が取り付けられ、これらとともに、ネジ止め等によりカバー２に固着されるための固着孔７４，７５，７６，９１，９３，９４，９５、基部３への装着面から軸支孔８５の近傍を持ち上げ支持するための支持足８４，８７、および基部３（図３）に対して表示カバー４を回転可能にする軸の挿通を許容する軸孔７３が設けられている。
【００４２】
ここで、前記回転規制ガイド８３，８６（図５）は、プレート２０に設けられた回転係止突起３９と当接し、プレート２０の回転範囲を規制するガイドである。つまり、プレート２０が回転すると、この回転と共に回転係止突起３９が軸支孔８５の周囲を円弧状に移動するが、閉位置では回転規制ガイド８６に回転係止突起３９が当接してこれ以上回転しないように規制され、開位置では回転規制ガイド８３に回転係止突起３９が当接してこれ以上回転しないように規制される（図５、図６）。
【００４３】
また、前記戻り回転係止部６０（図４）は、長手方向の一端部に枢支軸６４を設けて他端部に枢支孔６７を設けた枢動板６６と、一端側の前記枢支軸６４に軸支したローラ６３と、一端側に設けたバネ係止部６５（図６）に接続した回転係止バネ６１とで構成されている。なお、回転係止バネ６１は簡略化して図示している。
【００４４】
ここで、枢動板６６の他端側の枢支孔６７には枢支ピン６２が挿通され、この枢支ピン６２の先端がベース７０に設けられた枢支孔９１に挿通して固着される。これにより、枢動板６６は平面方向へ回転自在に枢支ピン６２で枢支される。  
また、前記回転係止バネ６１の他端はベース７０に設けられたバネ係止部８１に接続される。この接続が行われた組上がり状態で、回転係止バネ６１は、ベース７０に穿設されたバネ退避孔７１内に収納される。
【００４５】
このように構成した戻り回転係止部６０は、枢動板６６と回転係止バネ６１とが「く字型」に配されてその中折れ部にローラ６３が位置し、このローラ６３によってプレート２０のカム２２を押圧することができる。
【００４６】
ここで、プレート２０のカム２２の一端側には開対応凹部２１が設けられ、カム２２の他端側には閉対応凹部２４（図７）が設けられている。開対応凹部２１からカム２２への連続部は図示するようになだらかなカーブを描いており、閉対応凹部２４からカム２２への連続部には直線的な係止辺２３を設けている。  
これにより、開位置から閉位置へ回転させる際には、少しの力でローラ６３を開対応凹部２１からカム２２へ移動させることができ、逆に閉位置から開位置へ回転させる際には、ローラ６３を閉対応凹部２４からカム２２へ移動させる際に強い力を必要とする構成にしている。
【００４７】
また、ベース７０は、逆Ｌ字型に突設された浮き上がり防止ガイド７２が設けられ、この浮き上がり防止ガイド７２とベース７０本体との間で枢動板６６を挟むようにして構成されている（図６、図８）。これにより枢動板６６が枢支ピン６２を枢軸として回動しても上下方向に浮き上がらないように規制し、開閉動作時にローラ６３がカム２２から外れないようにしている。
【００４８】
なお、戻り回転係止部６０は上記構成が好ましいが、これに限らず他の構成にしてもよい。例えば、ローラ６３が開閉回転の半径方向にスライド移動するようにバネを配して構成する、あるいはデジタルカメラ１の外部に操作ボタンを設け、この操作ボタンの操作に連動してローラ６３がカム２２の閉対応凹部２４から離れるように構成するなど、適宜の構成にすることができる。
【００４９】
次に、ヒンジユニット１０の作用と動作について説明する。  
図１０は、平面側から見たヒンジユニット１０の動作説明図を示し、図１１は、背面側から見たヒンジユニット１０の動作説明図を示す。
【００５０】
カバー２が本体５に閉じられた閉位置（図１、２参照）では、図１０（Ａ）の平面図と図１１（Ａ）の底面図に示すように、プレート２０のバネ係止部３２とベース７０のバネ係止部７７とが回転軸を中心に１８０度に開いた状態に位置し、その間の９０度に開いた状態に中間体５０のバネ係止部５６が位置する。このとき、バネ５３，５８はほぼ均等に最大限伸長した状態になっている。
【００５１】
そして、ローラ６３は閉対応凹部２４に当接して係止辺２３に係止され、プレート２０がベース７０に対して回転しないように係止される。ここで、中間体５０は特に係止されておらず、２つのバネ５３，５８がそれぞれ伸縮しようとする弾性力のバランスが取れる位置に停止している。
【００５２】
また、回転係止突起３９は回転規制ガイド８６に当接して係止され、これ以上閉方向へ回転しないように規制される。
【００５３】
利用者がカバー２（図２参照）を平面視時計回りに手動で少し回転させると、このカバー２に固着されているベース７０も平面視時計回りに同時に回転し、収縮しようとする回転係止バネ６１の弾性力に逆らってローラ６３が係止辺２３を乗り越え、図１０（Ｂ）に示すようにカム２２の外側面へ移動する。この乗り越えた瞬間に、プレート２０とベース７０との開方向への回転を係止していたストッパ（係止辺２３およびローラ６３）が開放されるため、バネ５３，５８が収縮しようとする弾性力により、ベース７０はプレート２０に対して開方向へ自動回転する。この自動回転の間、弾性力が均衡するバネ５３，５８は、ほぼ同量ずつ収縮することになり、中間体５０のバネ係止部５６は、プレート２０のバネ係止部３２とベース７０のバネ係止部７７とのほぼ中間位置に常時位置することになる。  
また、回転規制ガイド８６は、図１１（Ｂ）に示すように回転係止突起３９から離れる。
【００５４】
自動回転が終了して開位置になると、図１０（Ｃ）に示すように、プレート２０のバネ係止部３２とベース７０のバネ係止部７７とが回転軸から見て９０度の状態に位置し、バネ５３，５８は最も収縮した状態（弾性力を殆ど発揮しないバネ５３，５８の定常状態）となる。このとき、回転係止バネ６１が収縮してローラ６３は開対応凹部２１に当接して回転係止する。またこのとき、回転規制ガイド８３は回転係止突起３９に当接して係止され、これ以上開方向へ回転しないように規制される。
【００５５】
以上に説明したように、デジタルカメラ１はカバー２が閉じられた閉位置で、バネ５３，５８が伸長した状態となってローラ６３が係止辺２３に係止されて制止しており、手動でカバー２が少し開けられると、後はバネ５３，５８の弾性力によって自動的に回動する半自動回転が実現される。
【００５６】
カバー２を閉じる場合には、利用者が手動でカバー２を逆回転すれば、ローラ６３は、なだらかなカーブを描いて開対応凹部２１からカム２２へ移動し、さらに閉対応凹部２４まで移動して係止辺２３に係止され、カバー２が閉状態で制止する。
【００５７】
このように、デジタルカメラ１を使用しようとしてカバー２を開回転する際は、少し開けるワンタッチの動作で全開位置まで回動でき、デジタルカメラ１を収納しようとしてカバー２を閉回転する際は、手動で容易に回動できるといった良好な操作感が得られる。
【実施例２】
【００５８】
次に、実施例２のヒンジユニット１０について説明する。  
図１２は、実施例２のヒンジユニット１０を斜視図により説明する説明図である。  
このヒンジユニット１０は、前述した実施例１のヒンジユニット１０と異なり、中間体５０が省略され、プレート２０のアーム３１とベース７０のアーム７８とが回転軸の半径方向へ長く形成されて、各アーム３１，７８の先端部に設けたバネ係止部３２，７７に１つのバネ５９の両端が接続されている。このバネ５９は、実施例１のバネ５３，５８より長い弦巻バネにより構成されている。
【００５９】
その他の構成は実施例１と同一であるので、同一の構成要素に同一符号を付してその詳細な説明を省略する。
【００６０】
この構成により、図１２（Ａ）の斜視図に示すように、アーム３１，７８の間が広がってバネ５９が最も伸長した閉位置から、図１２（Ｂ）の斜視図に示すように、アーム３１，７８の間が狭くなってバネ５９が最も収縮した開位置まで、少しの開操作によって開位置まで自動回転する半自動回転が実現される。  
この開方向への回転と閉方向への回転とは、前述した実施例１と同一であり、実施例２のヒンジユニット１０は、中間体５０（実施例１）を除いて実施例１と同一の作用・効果を奏することができる。なお図１２（Ａ）と図１２（Ｂ）は、同じ側の面を斜視の角度を替えて図示している。
【００６１】
以上に説明したように、回転支持機構としてのヒンジユニット１０は、本体５側に固定されるプレート２０と、カバー２側に固定されるベース７０と、前記プレート２０とベース７０とを前記平面方向に回転可能に軸支する軸支筒９９と、弾性力を有して一端側が前記プレート２０に接続され他端側が前記ベース７０に接続されるバネ５３，５８（またはバネ５９）と、このバネ５３，５８（またはバネ５９）の弾性力に逆らって前記プレート２０とベース７０とが回転した閉位置から開方向への戻り回転を防止する回転係止手段（カム２２の係止辺２３及びローラ６３）とを備えたものであるから、戻り回転の回転方向に沿った弾性力を付与でき、スムーズな戻り回転を実現できる。  
そして、バネ５３，５８（またはバネ５９）は軸支筒９９から見て一方の側方に備えることができるため、軸支筒９９の他方の側方をデジタルカメラ１の端部などへ極力近づけて構成することが可能となり、デジタルカメラ１における回転軸の位置の自由度を高めることができる。
【００６２】
また、プレート２０とベース７０とに対して別個独立して平面方向に回転可能な中間体５０を備え、バネ５３，５８全体の中間部となるバネ５３，５８の各一端を前記中間体５０に取り付けたものであるから、回転軸の軸芯から各バネ係止部３２，５６，７７までの距離を短く設定でき、ヒンジユニット１０を小型化できる。すなわち、プレート２０のバネ係止部３２とベース７０のバネ係止部７７とを１つの弦巻バネで連結した場合、回転によってこの弦巻バネが伸長してゆくと、その中間部が軸支筒９９に接触してしまうことになり、これを避けようとすると実施例２に示したようにアーム３１，７８を長く構成する必要があるが、中間体５０によりこれを回避できる。
【００６３】
また、前記回転係止手段を、前記プレート２０に備えたカム２２の係止辺２３と前記ベース７０に備えた押圧部とで構成し、この押圧部を、枢動可能に枢支された枢動板６６と、該枢動板６６に設けられて前記カム２２に当接するローラ６３と、該ローラ６３が前記カム２２を押圧する方向へ前記枢動板６６を付勢する回転係止バネ６１とで構成したものであるから、プレート２０とベース７０の回転を係止することができる。
【００６４】
特に、枢動板６６を枢動させる回転係止バネ６１の弾性力によってローラ６３をカム２２に押圧するため、ヒンジユニット１０を小型化することができる。つまり、例えばプレート２０とベース７０との開閉回転軸の半径方向外側にこの半径方向が長手方向となる押圧用の弦巻バネを設け、この弦巻バネでローラ６３をカム２２に前記回転軸の軸芯へ向けて直接押圧する構成であれば、ローラ６３の外側に弦巻バネが突出する構成となりヒンジユニットが大型化する。しかし、枢動板６６と回転係止バネ６１を開閉回転方向に沿って「く字型」に配し、その屈曲部に設けられたローラ６３を開閉回転軸の半径方向に移動する構成であるから、ローラ６３の外側に何ら部材を必要とせず上述した大型化を避けることができる。
【００６５】
また、カム２２に、閉位置で前記ローラ６３を係止する係止辺２３を備えたものであるから、バネ５３，５８（またはバネ５９）が伸長した閉位置でプレート２０とベース７０の回転を確実に係止することができる。
【００６６】
また、ベース７０に、枢動板６６の浮き上がりを防止する浮き上がり防止ガイド７２を備えたものであるから、ローラ６３の位置が上下方向にずれ動いてカム２２からローラ６３が外れてしまうことを防止できる。
【００６７】
また、このようなヒンジユニット１０を備えたデジタルカメラ１であるから、操作性の良い開閉動作を行うことができる。
【００６８】
また、プレート２０と中間体５０とベース７０の各間には、リング状シート４５，４７を介装したので、プレート２０と中間体５０とベース７０との各間の摩擦力を極力減少させることができ、互いに滑らかに回転できる。
【００６９】
この発明の構成と、上述の実施形態との対応において、
この発明の電子機器は、実施形態のデジタルカメラ１に対応し、
以下同様に、
回転支持機構は、ヒンジユニット１０に対応し、
ストッパ部は、係止辺２３に対応し、
回転係止手段は、係止辺２３およびローラ６３に対応し、
弾性手段は、バネ５３，５８またはバネ５９に対応し、
前記弾性手段の中間部は、バネ５３，５８の一端５３ａ，５８ａに対応し、
付勢体は、回転係止バネ６１に対応し、
カム当接部は、ローラ６３に対応し、
軸支部は、軸支筒９９に対応するも、
この発明は、上述の実施形態の構成のみに限定されるものではなく、多くの実施の形態を得ることができる。
【００７０】
例えば、カバー２にベース７０が固着され、本体５にプレート２０が固着されたが、これを逆にしてカバー２にプレート２０を固着し、本体５にベース７０を固着してもよい。  
また、デジタルカメラ１に限らず、デジタルビデオカメラ等の他の電子機器にヒンジユニット１０を設けてもよい。
【図面の簡単な説明】
【００７１】
【図１】閉状態のデジタルカメラを上面から見た斜視図。
【図２】閉状態のデジタルカメラを下面から見た斜視図。
【図３】開状態のデジタルカメラを上面から見た斜視図。
【図４】ヒンジユニットを上面から見た分解斜視図。
【図５】ヒンジユニットを下面から見た分解斜視図。
【図６】ヒンジユニットを上面から見た斜視図。
【図７】ヒンジユニットを下面から見た斜視図。
【図８】上面から見た平面図を中心とするヒンジユニットの三面図。
【図９】下面から見た底面図を中心とするヒンジユニットの三面図。
【図１０】平面側から見たヒンジユニットの動作説明図。
【図１１】背面側から見たヒンジユニットの動作説明図。
【図１２】実施例２のヒンジユニットの説明図。
【図１３】従来の携帯電話機のカバーの開操作状態を示す斜視図。
【符号の説明】
【００７２】
１…デジタルカメラ
２…カバー
５…本体
１０…ヒンジユニット
２０…プレート
２２…カム
２３…係止辺
５０…中間体
５３，５８，５９…バネ
５３ａ，５８ａ…一端
６１…回転係止バネ
６３…ローラ
６６…枢動板
７０…ベース
７２…浮き上がり防止ガイド
９９…軸支筒
【図１】
2006336801.tif 000003
【図２】
2006336801.tif 000004
【図３】
2006336801.tif 000005
【図４】
2006336801.tif 000006
【図５】
2006336801.tif 000007
【図６】
2006336801.tif 000008
【図７】
2006336801.tif 000009
【図８】
2006336801.tif 000010
【図９】
2006336801.tif 000011
【図１０】
2006336801.tif 000012
【図１１】
2006336801.tif 000013
【図１２】
2006336801.tif 000014
【図１３】
2006336801.tif 000015